【手続補正書】
【提出日】令和1年7月1日(2019.7.1)
【手続補正１】
【補正対象書類名】特許請求の範囲
【補正対象項目名】全文
【補正方法】変更
【補正の内容】
【特許請求の範囲】
【請求項１】
熱交換器であって、
熱交換管、
前記熱交換管の間に配設されるフィン組立体とを備え、
前記フィン組立体は、
板で形成される波形フィン本体をそれぞれ有する複数のフィンを備え、
前記複数のフィンは前記フィン組立体の幅方向に並置され、
接続部を備え、前記接続部は２つの隣接するフィンを接続するために前記２つの隣接するフィンの間に配置され、
前記複数のフィンのうちの２つの隣接するフィンの、前記フィン組立体の高さ方向における一方側の波頂または波底が、前記フィン組立体の長さ方向において互いに対して所定の距離で互い違いにされ、
各前記フィン本体は、前記波頂を画定する頂部と、前記波底を画定する底部と、前記頂部と前記底部との間で延在する中間部とを有し、
前記接続部は前記２つの隣接するフィンの前記中間部と一体化される、
熱交換器。
【請求項２】
前記複数のフィンが単一の板から形成される、請求項１に記載の熱交換器用フィン組立体。
【請求項３】
前記頂部と前記底部との間で延在して前記フィン組立体の前記長さ方向に傾けられた中間部と、
前記接続部は、前記２つの隣接するフィンの前記中間部が交差する位置にある、
請求項１に記載の熱交換器。
【請求項４】
前記接続部が、前記フィン組立体の前記高さ方向における、前記中間部の中央部に配置される、請求項１または３記載の熱交換器。
【請求項５】
前記２つの隣接するフィンの一方の、前記フィン組立体の前記高さ方向における一方側の前記波頂と、前記２つの隣接するフィンの他方の、前記フィン組立体の前記高さ方向における他方側の前記波底とは、前記フィン組立体の前記長さ方向における同じ位置に実質的に配置される、請求項１に記載の熱交換器。
【請求項６】
前記複数のフィンが、前記複数のフィンのうちの最外フィンの一方から他方に向けて、１番からＮ番までそれぞれ付番されると仮定すると、２番目〜Ｎ番目のフィンの、前記フィン組立体の前記高さ方向における一方側の前記波頂または前記波底が、１番目のフィンの、前記フィン組立体の前記高さ方向における一方側の前記波頂または前記波底に対して前記フィン組立体の前記長さ方向において互い違いにされる距離が、所定の増加量で段階的に増加する、請求項１に記載の熱交換器。
【請求項７】
前記所定の増加量が実質的に一定である、請求項６に記載の熱交換器。
【請求項８】
前記複数のフィンが、前記複数のフィンのうちの最外フィンの一方から他方に向けて、１番からＮ番までそれぞれ付番され、かつ、前記フィン組立体の、前記フィン組立体の高さ方向における一方側の波頂の隣接するものの間の距離の平均がＡであると仮定すると、ｎ番目のフィンの、前記フィン組立体の前記高さ方向における一方側の前記波頂または前記波底が、１番目のフィンの、前記フィン組立体の高さ方向における一方側の前記波頂または前記波底に対してフィン組立体の長さ方向において互い違いにされる距離が、実質的に
【数１】
2018521293.tif 000001
であり、ここで、ｎが２以上かつＮ以下の自然数である、請求項１に記載の熱交換器用フィン組立体。
【請求項９】
前記複数のフィンのうちの少なくとも２つが互いと異なる幅を有する、請求項１に記載の熱交換器。
【請求項１０】
前記複数のフィンのうちの少なくとも１つにルーバーが設けられる、請求項１に記載の熱交換器。
【請求項１１】
前記フィン組立体の前記高さ方向に垂直な断面において、前記複数のフィンのうちの少なくとも１つのフィン本体の表面が、前記フィン組立体の前記幅方向に傾けられる、請求項１に記載の熱交換器。
【請求項１２】
前記フィン組立体の前記高さ方向に垂直な前記断面において、前記複数のフィンのうちの少なくともいくつかのフィン本体の表面が、前記フィン組立体の前記長さ方向の同じ側に向けて前記フィン組立体の前記幅方向に傾けられる、請求項１１に記載の熱交換器。
【請求項１３】
前記フィン組立体の前記高さ方向に垂直な前記断面において、前記複数のフィンの、前記フィン組立体の前記幅方向における一方側の少なくとも１つの前記フィン本体の表面が、前記フィン組立体の前記長さ方向の一方側に向けて前記フィン組立体の前記幅方向に傾けられ、一方、前記複数のフィンの、前記フィン組立体の前記幅方向における他方側の少なくとも１つの前記フィン本体の表面が、前記フィン組立体の前記長さ方向の他方側に向けて前記フィン組立体の前記幅方向に傾けられる、請求項１１に記載の熱交換器。
【請求項１４】
前記フィン組立体の前記高さ方向に垂直な前記断面において、前記２つの隣接するフィンの一方の前記フィン本体の表面が、前記フィン組立体の前記長さ方向の一方側に向けて前記フィン組立体の前記幅方向に傾けられ、一方、前記２つの隣接するフィンの他方の前記フィン本体の表面が、前記フィン組立体の前記長さ方向の他方側に向けて前記フィン組立体の幅方向に傾けられる、請求項１１に記載の熱交換器。
【請求項１５】
前記複数のフィンが、前記複数のフィンのうちの最外フィンの一方から他方に向けて、１番からＮ番までそれぞれ付番されると仮定すると、ｉ番目のフィンの、前記フィン組立体の前記高さ方向における一方側の前記波頂または前記波底が、１番目のフィンの、前記フィン組立体の前記高さ方向における一方側の前記波頂または前記波底に対して前記フィン組立体の前記長さ方向において互い違いにされる距離が、所定の増加量で段階的に増加し、ｊ−１番目およびｊ番目のフィンのうちの一方の、前記フィン組立体の前記高さ方向における一方側の前記波頂と、ｊ−１番目およびｊ番目のフィンのうちの他方の、前記フィン組立体の前記高さ方向における他方側の前記波底とが、前記フィン組立体の前記長さ方向における同じ位置に実質的に配置され、ここで、ｉが３以上かつＮ以下の奇数であり、一方、ｊが２以上かつＮ以下の偶数である、請求項１に記載の熱交換器。
【請求項１６】
前記所定の増加量が実質的に一定である、請求項１５に記載の熱交換器。
【請求項１７】
前記複数のフィンが、前記複数のフィンのうちの最外フィンの一方から他方に向けて、１番からＮ番までそれぞれ付番されると仮定すると、ｉ番目のフィンの、前記フィン組立体の前記高さ方向における一方側の前記波頂または前記波底が、１番目のフィンの、前記フィン組立体の前記高さ方向における一方側の前記波頂または前記波底に対して事前設定距離で前記フィン組立体の前記長さ方向に互い違いにされ、ｊ−１番目およびｊ番目のフィンのうちの一方の、前記フィン組立体の前記高さ方向における一方側の前記波頂と、ｊ−１番目およびｊ番目のフィンのうちの他方の、前記フィン組立体の前記高さ方向における他方側の前記波底とが、前記フィン組立体の前記長さ方向における同じ位置に実質的に配置され、ここで、ｉが３以上かつＮ以下の奇数であり、一方、ｊが２以上かつＮ以下の偶数である、請求項１に記載の熱交換器。
【請求項１８】
ｉ番目のフィンの、前記フィン組立体の前記高さ方向における一方側の前記波頂または前記波底が、１番目のフィンの、前記フィン組立体の前記高さ方向における一方側の前記波頂または前記波底に対して前記フィン組立体の前記長さ方向において互い違いにされる距離が、
【数２】
2018521293.tif 000002
であり、ここで、Ａが、前記フィン組立体の、前記フィン組立体の前記高さ方向における一方側の前記波頂の隣接するものの間の距離の平均である、請求項１７に記載の熱交換器。
【請求項１９】
前記複数のフィンのすべての、前記フィン組立体の前記高さ方向における一方側の前記波頂または前記波底が、前記フィン組立体の前記長さ方向において互いに対して所定の距離で互い違いにされる、請求項１に記載の熱交換器。
【請求項２０】
前記フィン組立体の前記高さ方向および前記長さ方向によって定義される平面上の前記複数のフィンのすべての、前記フィン組立体の前記高さ方向における一方側の前記波頂または前記波底の突出部が、前記フィン組立体の前記長さ方向において実質的に等間隔に配置される、請求項１に記載の熱交換器。
【請求項２１】
前記複数のフィンのうちの少なくとも１つにはルーバーが設けられない、請求項１に記載の熱交換器。
【請求項２２】
前記複数のフィンが３つ以上のフィンである、請求項１に記載の熱交換器。
【請求項２３】
前記フィンが、前記フィンの前記板の表面に略垂直である平面に断面形状を有し、前記複数のフィンのうちの少なくともいくつかが、実質的に同じ断面形状を有する、請求項１に記載の熱交換器。
【請求項２４】
前記フィンが、前記フィン組立体の前記高さ方向および前記長さ方向によって定義される平面に断面形状を有し、前記複数のフィンのうちの少なくともいくつかが、実質的に同じ断面形状を有する、請求項１に記載の熱交換器。